(57)【要約】【課題】軽量なレンズ群でフォーカシング群を構成し、フォーカシングを行いながら、フォーカシング群を光軸に沿う方向へ微少振動（ウオブリング）させた際の像高変化率が小さく、Ｆ値が１．２と明るく、３５ｍｍ判換算焦点距離で９０ｍｍ相当の画角を有する大口径比レンズを提供する。【解決手段】物体側から順に、第１レンズ群Ｇ１と、開口絞りＳと、正の屈折力を有する第２レンズ群Ｇ２と、負の屈折力を有する第３レンズ群Ｇ３と、正の屈折力を有する第４レンズ群Ｇ４とからなり、前記第２レンズ群Ｇ２は、物体側から順に負レンズと正レンズの接合からなる負の屈折力を有する第２ａレンズ群Ｇ２ａと正の屈折力を有する第２ｂレンズ群Ｇ２ｂとからなり、無限遠物体側から近距離物体側へのフォーカシングをする際、前記第３レンズ群Ｇ３が像面側へ移動し、以下の条件式を満足することを特徴とする大口径比レンズ。【選択図】図１
2019023693.tif 000002
【特許請求の範囲】
【請求項１】
物体側から順に、第１レンズ群Ｇ１ と、開口絞りＳと、正の屈折力を有する第２レンズ群Ｇ２と、負の屈折力を有する第３レンズ群Ｇ３と、正の屈折力を有する第４レンズ群Ｇ４とからなり、
前記第２レンズ群Ｇ２は、物体側から順に負レンズと正レンズの接合からなる負の屈折力を有する第２ａレンズ群Ｇ２ａと正の屈折力を有する第２ｂレンズ群Ｇ２ｂとからなり、
無限遠物体側から近距離物体側へのフォーカシングをする際、前記第３レンズ群Ｇ３が像面側へ移動し、以下の条件式を満足することを特徴とする大口径比レンズ。
（１）−１．０７＜ＤＦｃＩ／ｆ３＜−０．６５
（２）−０．８０＜ｆ２ｂ／ｆ２ａ＜−０．１８
ＤＦｃＩ：無限遠合焦時の前記第３レンズ群Ｇ３の像面側の面から像面までの距離
ｆ３：前記第３レンズ群Ｇ３の焦点距離
ｆ２ａ：前記第２ａレンズ群Ｇ２ａの焦点距離
ｆ２ｂ：前記第２ｂレンズ群Ｇ２ｂの焦点距離
【請求項２】
下記の条件式を満足することを特徴とする請求項１に記載の大口径比レンズ。
（３）０．７０＜ｆ１２／ｆ＜１．０５
ｆ１２：前記第１レンズ群Ｇ１と前記第２レンズ群Ｇ２の合成系の焦点距離
ｆ：全系の無限遠合焦状態での焦点距離
【請求項３】
下記の条件式を満足することを特徴とする請求項１または２に記載の大口径比レンズ。
（４）−１３．０＜ＦｃＥｎｔｐ／ｈ＜−７．０
ＦｃＥｎｔｐ：無限遠合焦状態での、前記第３レンズ群Ｇ３の物体側の面を基準とした前記第２レンズ群Ｇ２による開口絞りＳの結像位置
ｈ：無限遠合焦状態での、前記第３レンズ群Ｇ３の物体側の面頂に接する光軸と垂直な平面における最大画角光線の主光線高
【請求項４】
前記第２レンズ群Ｇ２は物体側から順に正レンズ、負レンズ、正レンズ、とからなる３枚接合レンズを有し、下記の条件式を満足することを特徴とする請求項１乃至３いずれかに記載の大口径比レンズ。
（５）１０．０＜νｐ−νｎ＜６０．０
（６）１０．０＜νｐ´−νｎ＜５５．０
νｐ：前記３枚接合レンズを構成する２枚の正レンズの内、アッベ数の大きい方の正レンズのアッベ数
νｎ：前記３枚接合レンズを構成する負レンズのアッベ数
νｐ´：前記３枚接合レンズを構成する２枚の正レンズの内、アッベ数の小さい方の正レンズのアッベ数
【発明の詳細な説明】
【技術分野】
【０００１】
本発明は、スチルカメラ、ビデオカメラ等の撮像装置に用いる撮影レンズに好適な光学系に関し、オートフォーカスカメラに適したインナーフォーカス方式を採用し、またフォーカスレンズ群を光軸に沿った方向への微少な振動（ウオブリング）させた際の像高変化率が小さく、Ｆ値が１．２と明るく、３５ｍｍ判換算焦点距離で９０ｍｍ相当の画角を有する大口径比レンズに関するものである。
【背景技術】
【０００２】
近年、デジタルスチルカメラを使用しての動画撮影は一般的になっている。動画撮影におけるオートフォーカス方式に、フォーカスレンズ群を光軸に沿う方向へ微少振動（ウオブリング）させ続けることで、常にフォーカス駆動方向を判断し続ける方法が採用されることが多い。その際、ウオブリング時の像高変化率が大きいと、鑑賞者が画面に映る被写体の倍率変動を認識し、目障りに感じてしまうため、フォーカス変化に対し像高変化率が小さいフォーカス方式を必要としている。
【０００３】
さらに近年、デジタルスチルカメラの動画撮影においては、静粛且つ高速なフォーカス機構が求められている。フォーカス駆動を行うアクチュエータは、フォーカスレンズ群が大きく重い場合では、その出力に余裕が無い状況で駆動せざるを得ず、結果、騒音が大きくなることがわかっている。そのため、フォーカスレンズ群の軽量化が求められる性能となる。
【０００４】
３５ｍｍ判換算焦点距離で９０ｍｍ相当の画角を有する大口径比レンズで、軽量なレンズ群でフォーカス可能なインナーフォーカスの大口径比レンズとしては例えば以下の特許文献が挙げられる。
【０００５】
特許文献１に記載された結像光学系は、フォーカスレンズ群を凹レンズ一枚で構成し、軽量化をはかることで静音化と合焦速度の確保の向上がしやすくなっている。
【０００６】
また特許文献２に記載された結像光学系は、フォーカスレンズ群を凹レンズ一枚か二枚で構成し、軽量化をはかることで静音化と合焦速度の確保の向上がしやすくなっている。
【先行技術文献】
【特許文献】
【０００７】
【特許文献１】特開２０１２−２２０６５４号公報
【０００８】
【特許文献２】特開２０１４−１９７２３３号公報
【発明の概要】
【発明が解決しようとする課題】
【０００９】
しかしながら、特許文献１に開示されたレンズ系では、Ｆ値が１．４程度の実施例しか開示されておらず、この構成からＦ１．２程度を達成することは困難である。
【００１０】
また、特許文献２に開示されたレンズ系では、Ｆ値が１．８程度の実施例しか開示されておらず、この構成からＦ１．２程度を達成することは困難である。
【００１１】
本発明はこのような状況に鑑みてなされたものであり、軽量なレンズ群でフォーカシング群を構成し、フォーカシングを行いながら、フォーカスシング群を光軸に沿う方向へ微少振動（ウオブリング）させた際の像高変化率が小さく、Ｆ値が１．２と明るく、３５ｍｍ判換算焦点距離で９０ｍｍ相当の画角を有する大口径比レンズを提供することを目的とする。
【課題を解決するための手段】
【００１２】
上記課題を解決するための第１の発明は、物体側から順に、第１レンズ群Ｇ１ と、開口絞りＳと、正の屈折力を有する第２レンズ群Ｇ２と、負の屈折力を有する第３レンズ群Ｇ３と、正の屈折力を有する第４レンズ群Ｇ４とからなり、前記第２レンズ群Ｇ２は、物体側から順に負レンズと正レンズの接合からなる負の屈折力を有する第２ａレンズ群Ｇ２ａと正の屈折力を有する第２ｂレンズ群Ｇ２ｂとからなり、無限遠物体側から近距離物体側へのフォーカシングをする際、前記第３レンズ群Ｇ３が像面側へ移動し、以下の条件式を満足することを特徴とする大口径比レンズ。
（１）−１．０７＜ＤＦｃＩ／ｆ３＜−０．６５
（２）−０．８０＜ｆ２ｂ／ｆ２ａ＜−０．１８
ＤＦｃＩ：無限遠合焦時の前記第３レンズ群Ｇ３の像面側の面から像面までの距離
ｆ３：前記第３レンズ群Ｇ３の焦点距離
ｆ２ａ：前記第２ａレンズ群Ｇ２ａの焦点距離
ｆ２ｂ：前記第２ｂレンズ群Ｇ２ｂの焦点距離
【００１３】
上記課題を解決するための第２の発明は、第１の発明である大口径比レンズであり、下記の条件式を満足することを特徴とする大口径比レンズ。
（３）０．７０＜ｆ１２／ｆ＜１．０５
ｆ１２：前記第１レンズ群Ｇ１と前記第２レンズ群Ｇ２の合成系の焦点距離
ｆ：全系の無限遠合焦状態での焦点距離
【００１４】
上記課題を解決するための第３の発明は、第１または第２の発明である大口径比レンズであり、下記の条件式を満足することを特徴とする大口径比レンズ。
（４）−１３．０＜ＦｃＥｎｔｐ／ｈ＜−７．０
ＦｃＥｎｔｐ：無限遠合焦状態での、前記第３レンズ群Ｇ３の物体側の面を基準とした前記第２レンズ群Ｇ２による開口絞りＳの結像位置
ｈ：無限遠合焦状態での、前記第３レンズ群Ｇ３の物体側の面頂に接する光軸と垂直な平面における最大画角光線の主光線高
【００１５】
上記課題を解決するための第４の発明は、第１乃至第３のいずれかの発明である大口径比レンズであり、前記第２レンズ群Ｇ２は物体側から順に正レンズ、負レンズ、正レンズ、とからなる３枚接合レンズを有し、下記の条件式を満足することを特徴とする請求項１乃至３に記載の大口径比レンズ。
（５）１０．０＜νｐ−νｎ＜６０．０
（６）１０．０＜νｐ´−νｎ＜５５．０
νｐ：前記３枚接合レンズを構成する２枚の正レンズの内、アッベ数の大きい方の正レンズのアッベ数
νｎ：前記３枚接合レンズを構成する負レンズのアッベ数
νｐ´：前記３枚接合レンズを構成する２枚の正レンズの内、アッベ数の小さい方の正レンズのアッベ数
【発明の効果】
【００１６】
本発明によれば、軽量なレンズ群でフォーカシング群を構成し、フォーカシングを行いながら、フォーカスシング群を光軸に沿う方向へ微少振動（ウオブリング）させた際の像高変化率が小さく、Ｆ値が１．２と明るく、３５ｍｍ判換算焦点距離で９０ｍｍ相当の画角を有する大口径比レンズを提供する。
【図面の簡単な説明】
【００１７】
【図１】本発明の実施例１の大口径比レンズにおけるレンズ構成図
【図２】本発明の実施例１の撮影距離無限遠における縦収差図
【図３】本発明の実施例１の撮影倍率４０倍における縦収差図
【図４】本発明の実施例１の撮影距離０．５ｍにおける縦収差図
【図５】本発明の実施例１の撮影距離無限遠における横収差図
【図６】本発明の実施例１の撮影倍率４０倍における横収差図
【図７】本発明の実施例１の撮影距離０．５ｍにおける縦収差図
【図８】本発明の実施例２の大口径比レンズにおけるレンズ構成図
【図９】本発明の実施例２の撮影距離無限遠における縦収差図
【図１０】本発明の実施例２の撮影倍率４０倍における縦収差図
【図１１】本発明の実施例２の撮影距離０．５ｍにおける縦収差図
【図１２】本発明の実施例２の撮影距離無限遠における横収差図
【図１３】本発明の実施例２の撮影倍率４０倍における横収差図
【図１４】本発明の実施例２の撮影距離０．５ｍにおける縦収差図
【図１５】本発明の実施例３の大口径比レンズにおけるレンズ構成図
【図１６】本発明の実施例３の撮影距離無限遠における縦収差図
【図１７】本発明の実施例３の撮影倍率４０倍における縦収差図
【図１８】本発明の実施例３の撮影距離０．５ｍにおける縦収差図
【図１９】本発明の実施例３の撮影距離無限遠における横収差図
【図２０】本発明の実施例３の撮影倍率４０倍における横収差図
【図２１】本発明の実施例３の撮影距離０．５ｍにおける縦収差図
【図２２】本発明の実施例４の大口径比レンズにおけるレンズ構成図
【図２３】本発明の実施例４の撮影距離無限遠における縦収差図
【図２４】本発明の実施例４の撮影倍率４０倍における縦収差図
【図２５】本発明の実施例４の撮影距離０．５ｍにおける縦収差図
【図２６】本発明の実施例４の撮影距離無限遠における横収差図
【図２７】本発明の実施例４の撮影倍率４０倍における横収差図
【図２８】本発明の実施例４の撮影距離０．５ｍにおける縦収差図
【発明を実施するための形態】
【００１８】
本発明の大口径比レンズは、図１、８、１５、２２に示すレンズ構成図からわかるように、物体側から順に、第１レンズ群Ｇ１と、開口絞りＳと、正の屈折力を有する第２レンズ群Ｇ２と、負の屈折力を有する第３レンズ群Ｇ３と、正の屈折力を有する第４レンズ群Ｇ４とからなり、無限遠物体側から近距離物体側へのフォーカシングをする際、第３レンズ群Ｇ３が像面側方向へ移動する構成となっている。
【００１９】
上記構成が必要な理由は以下の通りである。すなわち、絞り面から射出した軸外主光線を正の屈折力を有する第２レンズ群Ｇ２で緩やかにすることによりフォーカスレンズ群である第３レンズ群Ｇ３に入射する軸外主光線の角度を小さくすることが可能であり、ウオブリング時の像高変化率の縮小に寄与する。
【００２０】
また、正の屈折力を有する第４レンズ群Ｇ４を配置することにより第１レンズ群Ｇ１と第２レンズ群Ｇ２の合成系の正の屈折力を大きくしなくてよいので球面収差やコマ収差の発生を抑えることが可能である。
【００２１】
また、第３レンズ群Ｇ３はフォーカシング群であり軽量化のため少ない枚数で構成されることが望ましい。しかし、収差補正が十分でなく収差の発生要因となってしまう。特に、負の屈折力を有する第３レンズ群Ｇ３は軸外主光線の高さが大きい位置に配置されるため、正の非点収差および倍率色収差や正の歪曲収差の発生要因となってしまう。そこで、正の屈折力を有する第４レンズ群Ｇ４を軸外主光線の高さが大きい位置に配置することにより、効果的にこれらの収差を補正することが可能となる。
【００２２】
さらに、本実施形態の大口径比レンズは以下の条件式を満足することが好ましい。
（１）−１．０７＜ＤＦｃＩ／ｆ３＜−０．６５
（２）−０．８＜ｆ２ｂ／ｆ２ａ＜−０．１８
ＤＦｃＩ：無限遠合焦時の前記第３レンズ群Ｇ３の像面側の面から像面Ｉまでの距離
ｆ３：前記第３レンズ群Ｇ３の焦点距離
ｆ２ａ：前記第２ａレンズ群Ｇ２ａの焦点距離
ｆ２ｂ：前記第２ｂレンズ群Ｇ２ｂの焦点距離
【００２３】
条件式（１）は、大口径比レンズにおいてフォーカシングに必要なスペースを確保しつつフォーカスレンズの重量を抑えるための好ましい条件として、軽量な無限遠合焦時の第３レンズ群Ｇ３の像面側の面から像面Ｉまでの距離と第３レンズ群Ｇ３の焦点距離の比について規定するものである。
【００２４】
条件式（１）の上限を超え、無限遠合焦時の第３レンズ群Ｇ３の像面側の面から像面Ｉまでの距離が小さくなる、あるいは第３レンズ群Ｇ３の負の屈折力が小さくなると、フォーカシングに必要なスペースが不足してしまう。
【００２５】
条件式（１）の下限を超え、無限遠合焦時の第３レンズ群Ｇ３の像面側の面から像面Ｉまでの距離が大きくなると、フォーカスレンズ群である第３レンズ群Ｇ３を通る軸上光束径が大きくなりフォーカスレンズ径を小さくするのが困難になる、あるいは第３レンズ群Ｇ３の負の屈折力が大きくなると、フォーカスレンズ群である第３レンズ群Ｇ３の重量を小さくするのが困難になる。
【００２６】
尚、条件式（１）について、望ましくはその下限値を−１．０５に、また、さらには上限値を−０．７０とすることで、前述の効果をより確実にすることができる。
【００２７】
条件式（２）は、大口径比レンズにおいて球面収差の発生を抑えつつ光学全長の増大を抑制するための好ましい条件として、第２ｂレンズ群Ｇ２ｂの焦点距離と第２ａレンズ群Ｇ２ａの焦点距離の比について規定するものである。
【００２８】
条件式（２）の上限を超え、第２ｂレンズ群Ｇ２ｂの正の屈折力が大きくなる、あるいは第２ａレンズ群Ｇ２ａの負の屈折力が小さくなると、正の屈折力の第２レンズ群Ｇ２で発生する球面収差を補正することが困難になる。
【００２９】
条件式（２）の下限を超え、第２ｂレンズ群Ｇ２ｂの正の屈折力が小さくなる、あるいは第２ａレンズ群Ｇ２ａの負の屈折力が大きくなると、第２ｂレンズ群Ｇ２ｂを通る軸上光束径が大きくなり球面収差の発生原因となる。または、負の屈折力を有する第２ａレンズ群Ｇ２ａと正の屈折力を有する第２ｂレンズ群Ｇ２ｂの間のレトロフォーカスの作用が強くなり、光学全長の短縮が困難になる。
【００３０】
尚、条件式（２）について、望ましくはその下限値を−０．７０に、また、さらには上限値を−０．１９とすることで、前述の効果をより確実にすることができる。
【００３１】
さらに、本実施形態の大口径比レンズは下記の条件を満足することが好ましい。
（３）０．７０＜ｆ１２／ｆ＜１．０５
ｆ１２：前記第１レンズ群Ｇ１と前記第２レンズ群Ｇ２の合成系の焦点距離
ｆ：全系の無限遠合焦状態での焦点距離
【００３２】
条件式（３）は、大口径比レンズにおいてフォーカシングに必要な移動量および光学全長の増大を抑制しつつ球面収差やコマ収差をおさえるための好ましい条件として、第１レンズ群Ｇ１と第２レンズ群Ｇ２の合成系の焦点距離と全系の無限遠合焦状態での焦点距離の比について規定するものである。
【００３３】
フォーカス敏感度は第３レンズ群Ｇ３のフォーカス移動量に対する像面位置の光軸方向の変化量の比であり、第３レンズ群Ｇ３の倍率β３と第４レンズ群Ｇ４の倍率β４を用いて（１−β３＾２）×β４＾２で表される。
【００３４】
条件式（３）の上限を超え、第１レンズ群Ｇ１と第２レンズ群Ｇ２の合成系の正の屈折力が相対的に小さくなると、第３レンズ群Ｇ３と第４レンズ群Ｇ４の合成系の倍率が小さくなる。つまり、第３レンズ群Ｇ３の倍率β３が小さくなるか、または第４レンズ群 Ｇ４の倍率β４が小さくなる。本発明においてβ３は１．０より大きいことを踏まえると、フォーカス敏感度は小さくなるためフォーカシングに必要な第３レンズ群Ｇ３の移動量が大きくなる。そのため、フォーカシングに必要な空気間隔が不足する。また、第１レンズ群Ｇ１と第２レンズ群Ｇ２の合成系の正の屈折力が相対的に小さくなり、第３レンズ群Ｇ３と第４レンズ群Ｇ４の合成系の倍率が小さくなると望遠比が大きくなるため大口径比レンズの光学全長が増大する。
【００３５】
条件式（３）の下限を超え、第１レンズ群Ｇ１と第２レンズ群Ｇ２の合成系の正の屈折力が相対的に大きくなると、第１レンズ群Ｇ１と第２レンズ群Ｇ２の合成系の球面収差やコマ収差を補正するのが困難になりかつ第３レンズ群Ｇ３と第４レンズ群Ｇ４の合成系の倍率が大きくなり、第１レンズ群Ｇ１と第２レンズ群Ｇ２の合成系で発生した収差が増倍される。
【００３６】
尚、条件式（３）について、望ましくはその下限値を０．８０に、また、さらには上限値を１．００とすることで、前述の効果をより確実にすることができる。
【００３７】
上記のように本発明のインナーフォーカス光学系は、ウオブリングによるオートフォーカスが可能であることを前提にしている。すなわちウオブリングの際の像高変化率が小さい形式としている。ウオブリングの際の像高変化率が小さくするには、ウオブリングによるフォーカスレンズ群である第３レンズ群Ｇ３の主光線高の変動を小さくすればよく、無限遠合焦時の、フォーカスレンズ群である第３レンズ群Ｇ３の物体側の面から第２レンズ群Ｇ２による開口絞りＳの結像位置までの距離を大きくすればよい。
【００３８】
ウオブリングによる像高変動はウオブリングによる歪曲収差の変動で表すことができる。松居吉哉著、レンズ設計法、共立出版Ｐ．８８によれば、３次の歪曲収差係数Ｖは以下の式で表される。
Ｖ＝Ｊ・Ｉ Ｖ
これを展開すると以下になり、３次の歪曲収差係数Ｖは近軸主光線高Ｈ’の３乗に比例する。
参考式（１）
Ｖ＝（（Ｈ’・Ｑ’）＾３／（Ｈ・Ｑ））・Ｈ＾２・Δ（１／（ｎ・ｓ））＋Ｐ・（Ｈ’・Ｑ’）／（Ｈ・Ｑ）
【００３９】
これよりウオブリングによる歪曲収差の変動を少なくするには、ウオブリングによるフォーカスレンズ群である第３レンズ群Ｇ３の主光線高の変動を少なくすればよい。ここで物体距離無限遠時の第３レンズ群Ｇ３の物体側の面を基準とした、第２レンズ群Ｇ２による絞りの像位置、およびフォーカスレンズ群である第３レンズ群Ｇ３の倍率負担、フォーカスレンズ群である第３レンズ群Ｇ３より後方のレンズ群である第４レンズ群Ｇ４の倍率負担、および物体距離無限遠時のフォーカスレンズ群である第３レンズ群Ｇ３における主光線高から、ウオブリングによるフォーカスレンズ群である第３レンズ群Ｇ３の主光線高の変動Δｈは以下の式で表される。
参考式（２）
Δｈ＝ｈ’−ｈ＝ｈ・Δｓ／（ＦｃＥｎｔｐ×Ｍ４＾２×（１−Ｍ３＾２））
ただし、
ＦｃＥｎｔｐ：物体距離無限遠時の前記第３レンズ群Ｇ３の物体側の面を基準とした、前記第２レンズ群Ｇ２による絞りの像位置
Δｓ：ウオブリング時の像面移動量
ｈ：物体距離無限遠時のフォーカスレンズ群における主光線高
ｈ’：ウオブリング時のフォーカスレンズ群における主光線高
Ｍ３：物体距離無限遠時の前記第３レンズ群Ｇ３の倍率負担
Ｍ４：物体距離無限遠時の前記第４レンズ群Ｇ４の倍率負担
【００４０】
さらに、本実施形態の大口径比レンズは下記の条件を満足することが好ましい。
（４）−１３．０＜ＦｃＥｎｔｐ／ｈ＜−７．０
ＦｃＥｎｔｐ：無限遠合焦状態での、前記第３レンズ群Ｇ３の物体側の面を基準とした前記第２レンズ群Ｇ２による開口絞りＳの結像位置
ｈ：無限遠合焦状態での、前記第３レンズ群Ｇ３の物体側の面頂に接する光軸と垂直な平面における最大画角光線の主光線高
【００４１】
条件式（４）は、大口径比レンズのウオブリング時の像高変動を抑制しつつ大口径化時の球面収差とコマ収差を補正し、さらに光学全長の増大を抑制するための好ましい条件として、無限遠合焦状態での、第３レンズ群Ｇ３の物体側の面を基準とした第２レンズ群Ｇ２による開口絞りＳの結像位置と無限遠合焦状態での第３レンズ群Ｇ３の物体側の面頂に接する光軸と垂直な平面における最大画角光線の主光線高の比について規定するものである。
【００４２】
条件式（４）の上限を超え、第３レンズ群Ｇ３の物体側の面を基準とした第２レンズ群Ｇ２による開口絞りＳの結像位置が物体側にあり距離が短くなる、あるいは第３レンズ群Ｇ３の物体側の面頂に接する光軸と垂直な平面における最大画角光線の主光線高が大きくなると、ウオブリング時の像高変動を抑制することが困難になる。
【００４３】
条件式（４）の下限を超え、第３レンズ群Ｇ３の物体側の面を基準とした第２レンズ群Ｇ２による開口絞りＳの結像位置が物体側にあり距離が長くなる、あるいは第３レンズ群Ｇ３の物体側の面頂に接する光軸と垂直な平面における最大画角光線の主光線高が小さくなると、第２レンズ群Ｇ２の正の屈折力が大きくなるため、大口径化時の球面収差とコマ収差の補正が困難になる。または、開口絞りＳが物体側に移動するため、第１レンズ群Ｇ１の配置に必要なスペースを確保するのが困難となり全長の短縮が困難となる。
【００４４】
尚、条件式（４）について、望ましくはその下限値を−１２．４に、また、さらには上限値を−８．０とすることで、前述の効果をより確実にすることができる。
【００４５】
さらに、本実施形態の大口径比レンズは、第２レンズ群Ｇ２は物体側から順に正レンズ、負レンズ、正レンズ、とからなる３枚接合レンズを有し、下記の条件を満足することが好ましい。
（５）１０．０＜νｐ−νｎ＜６０．０
（６）１０．０＜νｐ´−νｎ＜５５．０
νｐ：前記３枚接合レンズを構成する２枚の正レンズの内、アッベ数の大きい方の正レンズのアッベ数
νｎ：前記３枚接合レンズを構成する負レンズのアッベ数
νｐ´：前記３枚接合レンズを構成する２枚の正レンズの内、アッベ数の小さい方の正レンズのアッベ数
【００４６】
上記構成が必要な理由は以下の通りである。すなわち、前述の通り第３レンズ群Ｇ３は正の屈折力であることが求められるが、３枚接合中に曲率が大きい接合面を複数有することが可能になり、３枚接合は正の屈折力を持ちながらオーバーの軸上色収差を発生させ、正の屈折力を有する第３レンズ群Ｇ３で発生するアンダーの軸上色収差を補正することが可能になる。
【００４７】
条件式（５）は、全系の軸上色収差を抑えるための好ましい条件として、前記３枚接合レンズを構成する２枚の正レンズの内、アッベ数の大きい方の正レンズのアッベ数と前記３枚接合レンズを構成する負レンズのアッベ数の差について規定するものである。
【００４８】
条件式（５）の上限を超え、前記３枚接合レンズを構成する２枚の正レンズの内、アッベ数の大きい方の正レンズのアッベ数と前記３枚接合レンズを構成する負レンズのアッベ数の差が大きくなると、３枚接合で発生するアンダーの軸上色収差が過剰になり、全系の軸上色収差が補正過剰になる。
【００４９】
条件式（５）の下限を超え、前記３枚接合レンズを構成する２枚の正レンズの内、アッベ数の大きい方の正レンズのアッベ数と前記３枚接合レンズを構成する負レンズのアッベ数の差が小さくなると、３枚接合で発生するアンダーの軸上色収差が少なくなり、全系の軸上色収差が補正不足になる。
【００５０】
尚、条件式（５）について、望ましくはその下限値を１３．０に、また、さらには上限値を５６．０とすることで、前述の効果をより確実にすることができる。
【００５１】
条件式（６）は、全系の軸上色収差を抑えるための好ましい条件として、前記３枚接合レンズを構成する２枚の正レンズの内、アッベ数の小さい方の正レンズのアッベ数と前記３枚接合レンズを構成する負レンズのアッベ数の差について規定するものである。
【００５２】
条件式（６）の上限を超え、前記３枚接合レンズを構成する２枚の正レンズの内、アッベ数の小さい方の正レンズのアッベ数と前記３枚接合レンズを構成する負レンズのアッベ数の差が大きくなると、３枚接合で発生するアンダーの軸上色収差が過剰になり、全系の軸上色収差が補正過剰になる。
【００５３】
条件式（６）の下限を超え、前記３枚接合レンズを構成する２枚の正レンズの内、アッベ数の小さい方の正レンズのアッベ数と前記３枚接合レンズを構成する負レンズのアッベ数の差が小さくなると、３枚接合で発生するアンダーの軸上色収差が少なくなり、全系の軸上色収差が補正不足になる。
【００５４】
尚、条件式（６）について、望ましくはその下限値を１３．０に、また、さらには上限値を５０．０とすることで、前述の効果をより確実にすることができる。
【００５５】
また、本発明の大口径比レンズでは、いずれの実施例も第１レンズ群Ｇ１は正の屈折力を有している。しかし、いずれの実施例も第１レンズ群Ｇ１の正の屈折力は小さい。従って、第１レンズ群Ｇ１が負の屈折力を有する場合であっても、屈折力が小さければ本発明の効果を得ることが可能である。
【００５６】
本発明の大口径比レンズでは、以下の構成を伴うことがより効果的である。
【００５７】
本発明の大口径比レンズでは、フォーカスレンズ群である第３レンズ群Ｇ３を単レンズで構成しているが、フォーカス駆動するアクチュエータのトルクに余裕があれば、接合レンズにてフォーカスレンズ群である第３レンズ群Ｇ３を色消しにすることで、フォーカス移動による色収差の変動を抑制することも可能である。
【００５８】
次に、本発明の大口径比レンズに係る実施例のレンズ構成について説明する。尚、以下の説明ではレンズ構成を物体側から像側の順番で記載する。
【００５９】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数、有効径はレンズ有効径を示す。またＢＦはバックフォーカスを表す。
【００６０】
面番号を付した（開口絞り）には、平面または開口絞りに対する曲率半径∞（無限大）を記入している。
【００６１】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０次の非球面係数をそれぞれＡ４、Ａ６、Ａ８、Ａ１０と置くとき、非球面の座標が以下の式で表わされるものとする。
2019023693.tif 000003
【００６２】
［各種データ］には、焦点距離等の値を示している。
【００６３】
［可変間隔データ］には、各撮影距離状態における可変間隔及びＢＦ（バックフォーカス）の値を示している。
【００６４】
［レンズ群データ］には、各レンズ群を構成する最も物体側の面番号及び群全体の合成焦点距離を示している。
【００６５】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００６６】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００６７】
さらに図１、８、１５、２２に示すレンズ構成図において、Ｓは開口絞り、Ｉは像面、Ｆは光学フィルター、中心を通る一点鎖線は光軸である。また、図１、８、１５、２２に示すレンズ構成図において、ＦＳはフレアカット絞りである。
【実施例１】
【００６８】
図１は、本発明の実施例１の大口径比レンズのレンズ構成図である。実施例１の大口径比レンズは、物体側より順に第１レンズ群Ｇ１と開口絞りＳと第２レンズ群Ｇ２と第３レンズ群Ｇ３と第４レンズ群Ｇ４とからなる。
【００６９】
第１レンズ群Ｇ１は全体で正の屈折力を有しており、物体側に凸面を向けた正の屈折力を有する平凸レンズである第１レンズと、物体側に凸面を向けた正の屈折力を有するメニスカスレンズである第２レンズと、物体側に凸面を向けた負の屈折力を有するメニスカスレンズである第３レンズからなる。
【００７０】
第２レンズ群Ｇ２は全体で正の屈折力を有しており、両凹形状の負の屈折力を有する第４レンズと像側の面が非球面である両凸形状の正の屈折力を有する第５レンズを貼り合わせた接合レンズからなる第２ａレンズ群Ｇ２ａと、両凸形状の正の屈折力を有する第６レンズと両凹形状の負の屈折力を有する第７レンズと両凸形状の正の屈折力を有する第８レンズを貼り合わせた接合レンズと、両凸形状の正の屈折力を有する第９レンズからなる第２ｂレンズ群Ｇ２ｂからなる。
【００７１】
第３レンズ群Ｇ３は全体で負の屈折力を有しており、物体側に凸面を向けた負の屈折力を有する第１０レンズからなる。無限遠物体から近距離物体への合焦の際には、係る第３レンズ群Ｇ３が像面側へ移動する。 
【００７２】
第４レンズ群Ｇ４は全体で正の屈折力を有しており、両凸形状の正の屈折力を有する第１１レンズと、両凸形状の正の屈折力を有する第１２レンズと両凹形状の負の屈折力を有する第１３レンズを貼り合わせた接合レンズと、物体側に凸面を向けた正の屈折力を有するメニスカスレンズである第１４レンズからなる。
【００７３】
光学フィルタＦは、第４レンズ群Ｇ４と像面Ｉとの間に配置されている。
【００７４】
続いて、以下に実施例１に係る大口径比レンズの諸言値を示す。
数値実施例１
単位：mm
[面データ]
面番号             r             d             nd            vd
物面                ∞          (d0)
1             64.8169        5.7367       1.95375         32.32
2                  ∞        0.5471
3             30.5121        4.3742       1.92286         20.88
4             34.7793        3.5949
5             97.2682        1.0000       1.64769         33.84
6             20.7908        7.1072
7(絞り)               ∞        5.6691
8            -27.7117        1.0000       1.75211         25.05
9             27.7117        7.5177       1.85135         40.10
10*           -68.5749        0.1629
11            80.4340        6.5884       1.59282         68.63
12           -41.9887        0.8000       1.85478         24.80
13            41.9887        7.3908       1.87070         40.73
14           -56.2507        0.1500
15           153.3223        4.4981       1.92286         20.88
16           -70.6979         (d16)
17            80.4673        0.7000       1.56732         42.84
18            21.5186         (d18)
19            32.2679        5.2311       1.92286         20.88
20          -123.4875        0.3677
21          1000.0000        3.4186       1.87070         40.73
22           -40.1517        0.8000       1.80809         22.76
23            23.4881        2.2933
24            37.4085        2.5209       1.87070         40.73
25            73.6554       13.5159
26                 ∞        4.0000       1.51680         64.20
27                 ∞          (BF)
像面                ∞
[非球面データ]
10面
K              0.00000
A4         8.27980E-06
A6         5.62700E-09
A8         9.98870E-12
A10        -5.98660E-15
[各種データ]
INF           40倍          0.5m
焦点距離           44.10         43.72         42.17
Fナンバー            1.28          1.30          1.34
全画角2ω           27.57         27.48         27.23
像高Y             10.82         10.82         10.82
レンズ全長         101.22        101.22        101.22
[可変間隔データ]
INF          40倍          0.5m
d0                 ∞     1738.8853      398.7806
d16             1.7000        2.9131        6.9499
d18             9.5346        8.3215        4.2847
BF             1.0000        1.0000        1.0000
[レンズ群データ]
群           始面           焦点距離
G1             1             422.98
G2             8              31.97
G3            17             -52.00
G4            19              53.08
G2a             8            -102.97
G2b            11              29.23
【実施例２】
【００７５】
図８は、本発明の実施例２の大口径比レンズのレンズ構成図である。実施例２の大口径比レンズは、物体側より順に第１レンズ群Ｇ１と開口絞りＳと第２レンズ群Ｇ２と第３レンズ群Ｇ３と第４レンズ群Ｇ４とからなる。
【００７６】
第１レンズ群Ｇ１は全体で正の屈折力を有しており、物体側に凸面を向けた正の屈折力を有するメニスカスレンズである第１レンズと、物体側に凸面を向けた正の屈折力を有するメニスカスレンズである第２レンズと、物体側に凸面を向けた負の屈折力を有するメニスカスレンズである第３レンズからなる。
【００７７】
第２レンズ群Ｇ２は全体で正の屈折力を有しており、両凹形状の負の屈折力を有する第４レンズと像側の面が非球面である物体側に凸面を向けた正の屈折力を有するメニスカスレンズである第５レンズを貼り合わせた接合レンズからなる第２ａレンズ群Ｇ２ａと、両凸形状の正の屈折力を有する第６レンズと両凹形状の負の屈折力を有する第７レンズと両凸形状の正の屈折力を有する第８レンズを貼り合わせた接合レンズと、両凸形状の正の屈折力を有する第９レンズからなる第２ｂレンズ群Ｇ２ｂからなる。
【００７８】
第３レンズ群Ｇ３は全体で負の屈折力を有しており、物体側に凸面を向けた負の屈折力を有する第１０レンズからなる。無限遠物体から近距離物体への合焦の際には、係る第３レンズ群Ｇ３が像面側へ移動する。
【００７９】
第４レンズ群Ｇ４は全体で正の屈折力を有しており、両凸形状の正の屈折力を有する第１１レンズと、物体側に凹面を向けた正の屈折力を有するメニスカスレンズである第１２レンズと両凹形状の負の屈折力を有する第１３レンズを貼り合わせた接合レンズと、物体側に凸面を向けた正の屈折力を有するメニスカスレンズである第１４レンズからなる。
【００８０】
光学フィルタＦは、第４レンズ群Ｇ４と像面Ｉとの間に配置されている。
【００８１】
続いて、以下に実施例２に係る大口径比レンズの諸言値を示す。
数値実施例2
単位：mm
[面データ]
面番号             r             d             nd            vd
物面                ∞          (d0)
1             70.7340        5.2918       2.00069         25.46
2           2485.4271        0.5000
3             27.2685        3.0691       1.92286         20.88
4             30.6448        3.3171
5             52.6229        1.0000       1.73800         32.26
6             23.1917        8.9296
7(絞り)               ∞        5.2485
8            -32.3626        1.7507       1.80809         22.76
9             23.4300        6.4407       1.80834         40.92
10*           709.3320        0.3436
11            81.8223        7.9483       1.83481         42.72
12           -27.4239        0.8000       1.76182         26.61
13            32.0390        7.8280       1.83481         42.72
14           -73.6801        0.1500
15            74.1069        5.0479       1.92286         20.88
16           -84.1287         (d16)
17            73.3594        0.7000       1.69895         30.05
18            20.4645         (d18)
19            33.0531        5.2416       1.92286         20.88
20           -78.8099        0.5803
21          -143.1007        4.1860       1.83481         42.72
22           -25.9812        0.8000       1.76182         26.61
23            24.6221        1.8811
24            38.3327        2.3666       1.87070         40.73
25            81.1275       13.4398
26                 ∞        4.0000       1.51680         64.20
27                 ∞          (BF)
像面                ∞
[非球面データ]
10面
K              0.00000
A4         1.17480E-05
A6         2.68200E-09
A8         1.17490E-11
A10        -2.98550E-14
[各種データ]
INF           40倍          0.5m
焦点距離           44.11         43.68         42.04
Fナンバー            1.29          1.30          1.34
全画角2ω           27.56         27.49         27.31
像高Y             10.82         10.82         10.82
レンズ全長         102.07        102.07        102.07
[可変間隔データ]
INF           40倍          0.5m
d0                 ∞     1737.2605      397.9278
d16             1.7000        2.6379        5.7114
d18             8.5116        7.5737        4.5001
BF             1.0000        1.0000        1.0001
[レンズ群データ]
群           始面           焦点距離
G1             1             179.82
G2             8              30.11
G3            17             -40.83
G4            19              48.52
G2a             8             -38.13
G2b            11              22.43
【実施例３】
【００８２】
図１５は、本発明の実施例３の大口径比レンズのレンズ構成図である。実施例３の大口径比レンズは、物体側より順に第１レンズ群Ｇ１と開口絞りＳと第２レンズ群Ｇ２と第３レンズ群Ｇ３と第４レンズ群Ｇ４とからなる。
【００８３】
第１レンズ群Ｇ１は全体で正の屈折力を有しており、両凸形状の正の屈折力を有する第１レンズと、物体側に凸面を向けた正の屈折力を有するメニスカスレンズである第２レンズと、物体側に凸面を向けた負の屈折力を有するメニスカスレンズである第３レンズからなる。
【００８４】
第２レンズ群Ｇ２は全体で正の屈折力を有しており、両凹形状の負の屈折力を有する第４レンズと像側の面が非球面である両凸形状の正の屈折力を有する第５レンズを貼り合わせた接合レンズからなる第２ａレンズ群Ｇ２ａと、両凸形状の正の屈折力を有する第６レンズと両凹形状の負の屈折力を有する第７レンズと両凸形状の正の屈折力を有する第８レンズを貼り合わせた接合レンズと、両凸形状の正の屈折力を有する第９レンズからなる第２ｂレンズ群Ｇ２ｂからなる。
【００８５】
第３レンズ群Ｇ３は全体で負の屈折力を有しており、物体側に凸面を向けた負の屈折力を有する第１０レンズからなる。無限遠物体から近距離物体への合焦の際には、係る第３レンズ群Ｇ３が像面側へ移動する。
【００８６】
第４レンズ群Ｇ４は全体で正の屈折力を有しており、両凸形状の正の屈折力を有する第１１レンズと、両凸形状の正の屈折力を有する第１２レンズと両凹形状の負の屈折力を有する第１３レンズを貼り合わせた接合レンズと、物体側に凸面を向けた正の屈折力を有するメニスカスレンズである第１４レンズからなる。
【００８７】
光学フィルタＦは、第４レンズ群Ｇ４と像面Ｉとの間に配置されている。
【００８８】
続いて、以下に実施例３に係る大口径比レンズの諸言値を示す。
数値実施例3
単位：mm
[面データ]
面番号             r              d            nd            vd
物面                ∞          (d0)
1             80.6587        5.6102       1.91082         35.25
2           -346.9864        1.0962
3             35.9081        6.1441       1.92286         20.88
4             44.1238        3.1285
5            191.8113        1.0000       1.69895         30.05
6             23.2786        5.9758
7(絞り)               ∞        5.9317
8            -25.8129        1.0000       1.69895         30.05
9             35.8846        6.7645       1.85135         40.10
10*           -59.3356        0.1960
11            83.1824        6.6057       1.55032         75.50
12           -42.4070        0.8000       1.69895         30.05
13           103.7621        6.0250       1.55032         75.50
14           -47.8313        0.1500
15           237.0405        5.3072       1.83481         42.72
16           -46.2615         (d16)
17            88.1813        0.7000       1.58144         40.89
18            24.0102         (d18)
19            41.5726        4.3861       1.92286         20.88
20         -2520.1788        0.2705
21            98.8201        4.1729       1.87070         40.73
22           -39.0211        0.8000       1.69895         30.05
23            22.4576        1.4074
24            25.6740        2.3895       1.87070         40.73
25            36.7813       14.3865
26                 ∞        4.0000       1.51680         64.20
27                 ∞          (BF)
像面                ∞
[非球面データ]
10面
K              0.00000
A4         1.04170E-05
A6         4.72650E-09
A8         3.06930E-11
A10        -4.12070E-14
[各種データ]
INF           40倍          0.5m
焦点距離           44.10         43.71         42.13
Fナンバー            1.29          1.30          1.34
全画角2ω           27.42         27.39         27.35
像高Y             10.82         10.82         10.82
レンズ全長         101.06        101.06        101.06
[可変間隔データ]
INF           40倍          0.5m
d0                 ∞     1738.1481      398.9366
d16             1.7000        3.0072        7.3741
d18            10.1154        8.8082        4.4414
BF             1.0000        1.0000        1.0000
[レンズ群データ]
群           始面           焦点距離
G1             1             825.16
G2             8              31.95
G3            17             -56.97
G4            19              56.23
G2a             8            -143.00
G2b            11              30.50
【実施例４】
【００８９】
図２２は、本発明の実施例４の大口径比レンズのレンズ構成図である。実施例４の大口径比レンズは、物体側より順に第１レンズ群Ｇ１と開口絞りＳと第２レンズ群Ｇ２と第３レンズ群Ｇ３と第４レンズ群Ｇ４とからなる。
【００９０】
第１レンズ群Ｇ１は全体で正の屈折力を有しており、物体側に凸面を向けた正の屈折力を有するメニスカスレンズである第１レンズと、物体側に凸面を向けた正の屈折力を有するメニスカスレンズである第２レンズと、物体側に凸面を向けた負の屈折力を有するメニスカスレンズである第３レンズからなる。
【００９１】
第２レンズ群Ｇ２は全体で正の屈折力を有しており、両凹形状の負の屈折力を有する第４レンズと像側の面が非球面である両凸形状の正の屈折力を有する第５レンズを貼り合わせた接合レンズからなる第２ａレンズ群Ｇ２ａと、両凸形状の正の屈折力を有する第６レンズと両凹形状の負の屈折力を有する第７レンズと両凸形状の正の屈折力を有する第８レンズを貼り合わせた接合レンズと、両凸形状の正の屈折力を有する第９レンズからなる第２ｂレンズ群Ｇ２ｂからなる。
【００９２】
第３レンズ群Ｇ３は全体で負の屈折力を有しており、物体側に凸面を向けた負の屈折力を有する第１０レンズからなる。無限遠物体から近距離物体への合焦の際には、係る第３レンズ群Ｇ３が像面側へ移動する。
【００９３】
第４レンズ群Ｇ４は全体で正の屈折力を有しており、両凸形状の正の屈折力を有する第１１レンズと、両凸形状の正の屈折力を有する第１２レンズと両凹形状の負の屈折力を有する第１３レンズを貼り合わせた接合レンズと、物体側に凸面を向けた正の屈折力を有するメニスカスレンズである第１４レンズからなる。
【００９４】
光学フィルタＦは、第４レンズ群Ｇ４と像面Ｉとの間に配置されている。
【００９５】
続いて、以下に実施例４に係る大口径比レンズの諸言値を示す。
数値実施例4
単位：mm
[面データ]
面番号             r             d            nd             vd
物面                ∞          (d0)
1             65.0663        5.6127       2.00100         29.13
2           1844.1285        0.5000
3             30.0079        3.8699       1.92286         20.88
4             34.2297        3.6176
5             87.5595        1.0000       1.67270         32.17
6             21.4554        7.6134
7(絞り)               ∞        5.5523
8            -29.2207        1.0000       1.75211         25.05
9             22.9114        8.0646       1.85135         40.10
10*           -99.7789        0.1500
11            85.3838        6.3591       1.83481         42.72
12           -43.9105        0.8000       1.80809         22.76
13            59.5886        5.6885       1.55032         75.50
14           -73.1805        0.1500
15            88.5287        5.1771       1.92286         20.88
16           -62.7622         (d16)
17           108.2584        0.7000       1.64769         33.84
18            22.4861         (d18)
19            35.4931        5.5000       1.92286         20.88
20          -175.2639        0.1500
21           146.4899        4.0051       1.87070         40.73
22           -37.8896        0.8000       1.75211         25.05
23            23.5184        1.8985
24            35.4726        3.4774       1.87070         40.73
25            62.5934       13.6591
26                 ∞        4.0000       1.51680         64.20
27                 ∞          (BF)
像面                ∞
[非球面データ]
10面
K              0.00000
A4         8.99040E-06
A6         4.60580E-09
A8         1.69820E-11
A10        -1.04830E-14
[各種データ]
INF           40倍          0.5m
焦点距離           44.10         43.80         42.43
Fナンバー            1.29          1.29          1.35
全画角2ω           27.58         27.43         27.00
像高Y             10.82         10.82         10.82
レンズ全長         101.07        101.07        101.07
[可変間隔データ]
INF           40倍          0.5m
d0                 ∞     1742.2773      398.9345
d16             1.7000        2.7978        6.4508
d18             9.0202        7.9224        4.2693
BF             1.0000        1.0000        1.0000
[レンズ群データ]
群           始面           焦点距離
G1             1             360.62
G2             8              32.08
G3            17             -43.96
G4            19              45.56
G2a             8             -84.08
G2b            11              27.86
【００９６】
[条件式対応値]
条件式／実施例         実施例1 実施例2 実施例3 実施例4
(1) −１．０７＜ＤＦｃＩ／ｆ３    -0.82   -1.03   -0.75   -0.99
(2) −０．８＜ｆ２ｂ／ｆ２ａ＜    -0.28   -0.59   -0.21   -0.33
(3) ０．７＜ｆ１２／ｆ＜１．０     0.95    0.86    0.96    0.93
(4) −１３．０＜ＦｃＥｎｔｐ／    -9.46  -11.89   -9.66   -8.84
(5) １０．０＜νｐ−νｎ＜６０    43.82   16.11   45.45   52.73
(6) １０．０＜νｐ´−νｎ＜５    15.93   16.11   45.45   19.96
【符号の説明】
【００９７】
Ｇ１    第１レンズ群
Ｇ２    第２レンズ群
Ｇ２ａ  第２ａレンズ群
Ｇ２ｂ  第２ｂレンズ群
Ｇ３    第３レンズ群
Ｇ４    第４レンズ群
Ｓ      開口絞り
Ｆ      光学フィルタ
Ｉ      像面
【図１】
2019023693.tif 000004
【図２】
2019023693.tif 000005
【図３】
2019023693.tif 000006
【図４】
2019023693.tif 000007
【図５】
2019023693.tif 000008
【図６】
2019023693.tif 000009
【図７】
2019023693.tif 000010
【図８】
2019023693.tif 000011
【図９】
2019023693.tif 000012
【図１０】
2019023693.tif 000013
【図１１】
2019023693.tif 000014
【図１２】
2019023693.tif 000015
【図１３】
2019023693.tif 000016
【図１４】
2019023693.tif 000017
【図１５】
2019023693.tif 000018
【図１６】
2019023693.tif 000019
【図１７】
2019023693.tif 000020
【図１８】
2019023693.tif 000021
【図１９】
2019023693.tif 000022
【図２０】
2019023693.tif 000023
【図２１】
2019023693.tif 000024
【図２２】
2019023693.tif 000025
【図２３】
2019023693.tif 000026
【図２４】
2019023693.tif 000027
【図２５】
2019023693.tif 000028
【図２６】
2019023693.tif 000029
【図２７】
2019023693.tif 000030
【図２８】
2019023693.tif 000031